(57)【要約】【課題】根太に複雑な加工が要求されず、施工性に優れ且つ雨漏りを防止できる平面視台形状のバルコニーを提供すること。【解決手段】本発明のバルコニー１は、平面視台形形状のバルコニーであって、床枠３の前桁１３には、根太５の下面を載置してボルト止めする根太固定部１９と、根太固定部１９の上方でデッキ材７の端部を受けるデッキ材受け部２１とが設けられ、デッキ材受け部２１は前桁１３の長手方向に沿って設けた排水溝２３と、排水溝の建物側溝壁２５の上端に設けたデッキ材固定部２７とを備え、根太固定部１９がデッキ材固定部２７よりも建物側に位置して根太５の端部を固定している。【選択図】　　図１
2004003143.tif 000002
【特許請求の範囲】
【請求項１】
妻梁と前桁とを枠組みした床枠と、床枠に立設される手摺と、床枠に取り付ける根太と、根太の上に敷設したデッキ材とを備え、前桁を建物の外壁に対して斜めにしてある平面視台形形状のバルコニーであって、
床枠の前桁には、根太の下面を載置してボルト止めする根太固定部と、根太固定部の上方でデッキ材の端部を受けるデッキ材受け部とが設けられ、デッキ材受け部は前桁の長手方向に沿って設けた排水溝と、排水溝の建物側溝壁の上端に設けたデッキ材固定部とを備え、根太固定部がデッキ材固定部よりも建物側に位置して根太の端部を固定していることを特徴とするバルコニー。
【請求項２】
前桁には、これと別体の根太受け部材をネジ止めしており、根太受け部材に前記デッキ材受け部と、前記根太固定部とを設けていることを特徴とする請求項１に記載のバルコニー。
【請求項３】
デッキ材の端面は、排水溝の上で溝幅の半分以上前桁側に配置していることを特徴とする請求項２に記載のバルコニー。
【発明の詳細な説明】
【０００１】
【発明の属する技術分野】
本発明は、前桁を建物の外壁に対して斜めにした平面視台形状のバルコニーに関する。
【０００２】
【従来の技術】
実開昭６２−１０７００５号公報には、平面視長方形のバルコニーにおいて、前桁に根太固定部を設け、根太固定部の上方に排水溝を形成した構成が開示されており、根太固定部に固定した根太上にデッキ材を敷設するとともに、前桁の排水溝からデッキ材上の雨水を排水する構成になっている。
【０００３】
一方、平面視台形状のバルコニー（以下「台形バルコニー」という）においては、前桁側のデッキ材端部や根太端部を斜めに切断する必要があるが、このような台形バルコニーにおいては、上述した前桁をそのまま用いて端部を斜めに切断したデッキ材や根太を取り付け難いとともに、デッキ材端部における排水も確保し難く雨漏りの原因になるという問題がある。
【０００４】
これに対して、台形バルコニーにおいて、根太固定部の上方に排水溝を備えたデッキ材受け部を上述の汎用の前桁（長方形や正方形バルコニーに用いる前桁）に別途取り付ける構成が公知である。
【０００５】
【発明が解決しようとする課題】
しかしながら、上述した公知の台形バルコニーは、デッキ材受け部の下に根太を配置し、前桁に一体に設けてある根太固定部に根太端部をボルト止めする構成であるから、根太の端部はデッキ材受け部を避けるように段差を形成する加工が必要になり、デッキ材の加工が複雑になるので、施工性に劣るという問題がある。
【０００６】
本発明は、上述した事情に鑑みなされたもので、根太に複雑な加工が要求されず、施工性に優れ且つ雨漏りを防止できる平面視台形状のバルコニーの提供を目的とする。
【０００７】
【課題を解決するための手段】
上記目的を達成するために、請求項１に記載の発明は、妻梁と前桁とを枠組みした床枠と、床枠に立設される手摺と、床枠に取り付ける根太と、根太の上に敷設したデッキ材とを備え、前桁を建物の外壁に対して斜めにしてある平面視台形形状のバルコニーであって、床枠の前桁には、根太の下面を載置してボルト止めする根太固定部と、根太固定部の上方でデッキ材の端部を受けるデッキ材受け部とが設けられ、デッキ材受け部は前桁の長手方向に沿って設けた排水溝と、排水溝の建物側溝壁の上端に設けたデッキ材固定部とを備え、根太固定部がデッキ材固定部よりも建物側に位置して根太の端部を固定していることを特徴とする。
【０００８】
この請求項１に記載の発明では、台形バルコニーの施工時には、妻梁と前桁とで床枠を枠組し、根太の前桁側端部を前桁に合わせて斜めに切断し、前桁の根太固定部に前桁側の根太端部を固定する。尚、根太の建物側端部は建物の外壁に固定してある根太掛けに固定する。次に、前桁の傾斜に合わせてデッキ材の端を斜めに切断して加工し、根太上にデッキ材を載置するとともにデッキ材受け部にデッキ材の前桁側端部を載置してデッキ材固定部にネジ止めする。
【０００９】
デッキ材受け部には排水溝が設けてあり、排水溝における建物側溝壁の上端にあるデッキ材固定部にデッキ材端部をネジ止めしているので、デッキ材端面は排水溝の上に位置するから、デッキ材上面の雨水はデッキ材端面から排水溝に落下でき、バルコニーからの雨漏りを防止できる。
【００１０】
根太固定部は、デッキ材固定部よりも建物側に位置しており、根太がデッキ材受け部と干渉することがないので、根太は端部（小口）を斜めに切断するだけでよく、従来のようにデッキ材受け部を避けるような複雑な加工が不要であるから、根太の加工が容易であり且つ施工が容易にできる。
【００１１】
前桁に設ける根太固定部及びデッキ材固定部は、前桁の押し出し成形時に一体に形成してもよいし、前桁とは別体に製造してネジ等で前桁に固定するものであってもよい。
【００１２】
請求項２に記載の発明は、請求項１に記載の発明において、前桁には、これと別体の根太受け部材をネジ止めしており、根太受け部材に前記デッキ材受け部と、前記根太固定部とを設けていることを特徴とする。
【００１３】
この請求項２に記載の発明では、請求項１に記載の作用効果を奏するとともに、汎用の前桁を台形バルコニーにそのまま用いて、デッキ材受け部と根太固定部とを有する根太受け部材を、汎用の前桁に取り付けるだけで台形状のバルコニーの施工をすることができる。従って、台形バルコニー用の前桁を別途用意する必要がないので、汎用性が高く且つ安価に施工できる。
請求項３に記載の発明は、請求項２に記載の発明において、デッキ材の端面は、排水溝の上で溝幅の半分以上前桁側に配置していることを特徴とする。
【００１４】
この請求項３に記載の発明では、請求項２に記載の作用効果を奏するとともに、デッキ材端部は下にある排水溝の半分以上を塞いでいるので、デッキ材の面積を広く取ることができるとともに、足の指が排水溝に挟まるのを防止でき、また排水溝が見え難いので外観がよい。
【００１５】
【発明の実施の形態】
以下に、添付図面を参照して本発明の実施の形態を詳細に説明する。図１は図４に示すバルコニーのＡ−Ａ断面図であり、図２は図４に示すバルコニーのＢ−Ｂ断面図であり、図３は図４に示すバルコニーのＣ−Ｃ断面図であり、図４は本実施の形態にかかるバルコニ−の水平断面図である。
【００１６】
本実施の形態に係るバルコニー１は、床枠３と、床枠３に固定した根太５と、根太５上に敷設したデッキ材７とから構成されており、床枠３には手摺９が立設されている。
【００１７】
床枠３は柱４を介して妻梁１１と前桁１３とで枠組みされており、建物の外壁２には、根太掛け３９が取り付けられている。
妻梁１１は建物の外壁２から略直角に延出し、前桁１３は外壁２に対して斜めになっており、バルコニー１全体は、平面視台形形状を成している。
【００１８】
前桁１３は、平面視長方形のバルコニーにも用いられている汎用の桁であり、その外壁２側（建物側）面には、前桁１３とは別体の根太受け部材１５がネジ１６で固定されている。根太受け部材１５は、台形バルコニーの施工用として後付けするものであり、取り付け部１７と根太固定部１９とで断面略Ｌ字形状に形成されているとともに、根太固定部１９の上方には、デッキ材受け部２１が一体に形成されている。デッキ材受け部２１は、断面略コ字形状を成しており、コの字の内側が排水溝２３になっているとともに、排水溝２３において、建物側に位置する溝壁（建物側溝壁）２５には、その上部に溝側に突設したデッキ材固定部２７が設けられている。
【００１９】
デッキ材固定部２７には吸水材２８が貼付されており、デッキ材７の前桁１３側端面を伝わって落下する雨水が建物側溝壁２５の外側やデッキ材７の下面を伝わって漏れ出るのを防止している。
また、前桁１３には、根太受け部材１５のネジ止め部の上方にデッキ材側に向けて斜め下方に傾斜した水切り２９が突設されており、前桁１３を伝わって落下する雨水が根太受け部材１５と前桁との隙間から漏れ出るのを防止している。
【００２０】
根太固定部１９は、排水溝２３の建物側溝壁２５よりも建物の外壁２側に突設して設けられており、根太５の端面５ａを建物側溝壁２５に当接した位置で根太固定部１９に根太５がボルト４２により固定されている。
【００２１】
これに対して、従来は、排水溝２３の下に設けた根太固定部５１に根太の端部を固定しているため、図１に破線５６で示すように、根太５の端部では排水溝２３との干渉を避けるために根太５の上面を切断する必要があったが、本実施の形態では、根太５の端を排水溝２３に当接させており排水溝２３の下で根太を固定していないので、従来必要とされていた根太５の端部における切断加工が不要である。
【００２２】
デッキ材７は、前桁１３に対面する端部を前桁に沿って斜めに切除されており、その切除した小口は、デッキ端面に取り付けられたカバ−３１で覆っている。尚、デッキ材７は合成樹脂製であり、例えば、塩化ビニルの押出し成形品である。デッキ材７の端面（小口）は、排水溝２３の幅方向における中央よりも前桁側に位置しており、且つ水切り２９との間隔Ｆを雨水の排水に必要な最小限の寸法としている。このように排水用の間隔Ｆを排水溝２３の幅の半分以下とすることにより、デッキ材７の面積を広くすることができるとともに、排水溝２３が外から見え難くいので外観が良い。
【００２３】
デッキ材７は、ネジ３３により建物側溝壁２５の上端に設けたデッキ材固定部２７に上方からネジ固定さている。
尚、排水溝２３は、柱４に設けた集水器４３から妻桁の排水溝３５の雨水とともに地面に排水されるようになっている。
【００２４】
次に、本実施の形態におけるバルコニーの施工及び作用について説明する。本実施の形態にかかるバルコニー１は、施工時には、妻梁１１の一端を建物の外壁２に固定し、他端を柱４に固定するとともに柱４、４間に前桁１３を固定して床枠３を枠組みする。また、建物の外壁２には、根太掛け３９をネジにより固定する。
【００２５】
前桁１３には、建物側の面に根太受け部材１５をネジ１６で固定しておくとともに、根太受け部材１５を前桁１３に一体形成してある根太固定部５１にボルト５２で固定する。根太受け部材１５は取り付け部にネジ止めするとともに前桁１３に設けた根太受け部にボルト固定しているので、合計２箇所で安定した状態で固定できる。また、汎用の前桁に設けてある根太固定部を利用して根太受け部材を固定しているので、便利である。
【００２６】
次に、各根太５の前桁１３側端部を、前桁１３の傾斜に沿うように端面を切断する。そして、根太受け部材１５の根太固定部１９と壁２に固定してある根太掛け３９とに根太５の各端部を載置し、且つ根太の前桁１３側の端面５ａは排水溝２３の建物側溝壁２５に当接させるようにして配置し、根太５のそれぞれの端部をボルト４２で止める。
【００２７】
その後、前桁１３の傾斜に合わせてデッキ材７の端を斜めに切断し、デッキ材７の小口にカバー３１を被せ、根太５上にデッキ材７を載置するとともにデッキ材受け部２１にデッキ材７の前桁側端部を載置してカバー３１とともにデッキ材固定部にネジ３３で固定する。
デッキ材７の前桁側端面（小口）は、前桁１３の水切りと僅かな隙間Ｆを形成する位置に配置しており、排水溝２３の上部は、デッキ材７で隠れて外からほとんど見えない。
【００２８】
根太固定部１９は、デッキ材固定部２７よりも建物の壁２側に位置しており、根太５がデッキ材受け部に干渉することがないので、根太５は前桁１３側の端部を斜めに切断するだけでよく、施工現場での加工が容易であり且つ施工し易い。
デッキ材７上の雨水や前桁１３の水切り２９を伝わって流れ落ちる雨水はデッキ材受け部２１に設けた排水溝２３が受け、排水溝２３から柱側にある集水器４３に導いて排水する。
【００２９】
本実施の形態では、根太受け部材１５を汎用の前桁１３に取り付けているので、汎用の前桁１３をそのまま用いて台形のバルコニー用の前桁として利用でき、台形バルコニー用の前桁を用意しておく必要がないので、汎用性が高く且つ安価に施工できる。
本発明は、上述した実施の形態に限定されず、本発明の要旨を逸脱しない範囲で種々の変形が可能である。
【００３０】
例えば、前桁１３には、排水溝２３を有するデッキ受け部２１と、根太固定部１９とを別体として設けて、これを前桁１３にそれぞれネジ止めする構成としてもよい。
また、排水溝２３を有するデッキ受け部と、根太固定部１９とを前桁１３の押出し製造時に台形バルコニー用として一体成形するものであってもよい。
根太受け部材１５は前桁１３に一体に形成されている根太固定部５１にボルト固定しないでもよい。
【００３１】
【発明の効果】
請求項１に記載の発明によれば、台形バルコニーにおいて、根太固定部は、デッキ材固定部よりも建物側に位置しており、根太がデッキ材受け部に干渉することなく固定できるので、根太は端部を斜めに切断するだけでよく、デッキ材受け部を避けるような複雑な加工が不要であるから、加工が容易であり且つ施工が容易である。
デッキ材の前桁側端面は排水溝の上に位置するので、デッキ材上面の雨水はデッキ材端面から排水溝に落下でき、バルコニーからの雨漏りを防止できる。
【００３２】
請求項２に記載の発明によれば、請求項１に記載の効果を奏するとともに、デッキ材受け部と根太固定部とを有する根太受け部材を、汎用の前桁に取り付けるだけで台形バルコニーの施工に用いることができるので、台形バルコニー用の前桁を別途用意する必要がないので、汎用性が高く且つ安価に施工できる。
請求項３に記載の発明によれば、請求項２に記載の効果を奏するとともに、デッキ材は下にある排水溝の半分以上を塞いでいるので、デッキ材の面積を広く取ることができるとともに、足の指が排水溝に挟まるのを防止でき、また排水溝が見え難いので外観がよい。
【図面の簡単な説明】
【図１】図１は図４に示すバルコニーのＡ−Ａ断面図である。
【図２】図４に示すバルコニーのＢ−Ｂ断面図である。
【図３】図４に示すバルコニーのＣ−Ｃ断面図である。
【図４】本実施の形態にかかるバルコニ−の水平断面図である。
【符号の説明】
１　　バルコニー
３　　床枠
５　　根太
７　　デッキ材
９　　手摺
１１　妻梁
１３　前桁
１５　根太受け部材
１９　根太固定部
２１　デッキ材受け部
２３　排水溝
２５　建物側溝壁
２７　デッキ材固定部
【図１】
2004003143.tif 000003
【図２】
2004003143.tif 000004
【図３】
2004003143.tif 000005
【図４】
2004003143.tif 000006